(57)【要約】【課題】パネル同士を容易に連結できる構成でありながら、取付用固定具を隠蔽することができるパネル取付構造を提供する。【解決手段】パネル取付面（６）に複数枚のパネル１（１Ａ，１Ｂ）を連結して取り付けるパネル取付構造であって、前記パネルは、該パネルの一方端１０側に形成された差込部２１及び他方端１１側に形成された差込受部３０を有するとともに、前記他方端側で前記パネルの背面１５側から同一面上に突出して前記パネルの取付用固定具４が挿通される固定片３４を有し、前記一方端側及び前記他方端側を結ぶ直線方向（ｄ１）に隣接させて連結されるパネル同士は、前記取付用固定具で固定されたパネルの前記差込受部に、連結さするパネルの差込部を差し込んで回転させることで連結され、前記取付用固定具の頭部４０は、連結されたパネルの前記一方端側で覆われることを特徴とする。【選択図】図１
2014095225.tif 000002
【特許請求の範囲】
【請求項１】
パネル取付面に複数枚のパネルを連結して取り付けるパネル取付構造であって、
前記パネルは、該パネルの一方端側に形成された差込部及び他方端側に形成された差込受部を有するとともに、前記他方端側で前記パネルの背面側から同一面上に突出して形成され、前記パネルの取付用固定具が挿通される固定片を有し、
前記一方端側及び前記他方端側を結ぶ直線方向に隣接させて連結させるパネル同士は、前記取付用固定具で固定されたパネルの前記差込受部に、連結するパネルの差込部を差し込んで回転させることで連結され、
前記取付用固定具の頭部は、連結されたパネルの前記一方端側で覆われることを特徴とするパネル取付構造。
【請求項２】
請求項１において、
前記固定片と前記連結するパネルの前記一方端側との少なくとも一方には、前記取付用固定具の頭部が収容される段部が形成されていることを特徴とするパネル取付構造。
【請求項３】
請求項１または請求項２において、
前記他方端側は、前記差込部を前記差込受部に誘導する案内部を有し、該案内部は側面視において湾曲した凸湾曲面とされていることを特徴とするパネル取付構造。
【請求項４】
請求項１または請求項２において、
前記他方端側は、前記差込部を前記差込受部に差し込んだ状態で係止する係止部を有し、該係止部は前記固定片に対して略垂直に起立した起立壁とされていることを特徴とするパネル取付構造。
【請求項５】
請求項１〜４のいずれか１項において、
前記他方端側には、出没自在に構成されたスライド部材が設けられる収容空所が形成されており、
前記スライド部材によって、前記一方端側及び前記他方端側を結ぶ直線方向に対して略直交する方向に配設されるパネル同士を連結することを特徴としたパネル取付構造。
【発明の詳細な説明】
【技術分野】
【０００１】
本発明は、パネル取付面に複数枚のパネルを連結して取り付けるパネル取付構造に関する。
【背景技術】
【０００２】
従来より、既存の天井面や壁面、床面をそのままの状態で残し、断熱性や防音性等の機能を備えたパネルを取り付けるリフォームが行われている。その際には複数枚のパネルを隙間なく確実に連結でき、パネルを容易に取り付けられる構造が求められる。
パネル同士を連結させる構造としては、たとえば、下記特許文献１が挙げられる。
この文献には、相互に嵌合する床材の連結構造が開示されている。２枚の床材の対向する側面の縁部には、床材を互いに接合する接合部が形成されており、接合部にはロック手段が設けられている。このロック手段は、丸く湾曲した形状の突起部によって形成された第１ロック手段と、湾曲した凹部で形成された第２ロック部材とからなり、２枚の床材を回転運動によって互いに接合される構造となっている。
また特許文献２にも、特許文献１と同様に回転運動によって２枚のパネルを接合する連結構造が種々開示されている。
【先行技術文献】
【特許文献】
【０００３】
【特許文献１】特開２００６−５２６４１号公報
【特許文献２】特表２００３−５２９６９２号公報
【発明の概要】
【発明が解決しようとする課題】
【０００４】
ところで、このようなパネルは固定具によって天井面や壁面、床面等の取付面に取り付けられるが、上記各特許文献には、連結したパネルをどのように床面に固定するかについては何ら記載がないものであった。
そこで、パネル同士を容易に連結できる構成でありながら、取付面に固定する固定具を隠蔽することができる取付構造が求められる。
【０００５】
本発明は、上記実情に鑑みてなされたものであり、パネル同士を容易に連結できる構成でありながら、取付用固定具を隠蔽することができるパネル取付構造を提供する。
【課題を解決するための手段】
【０００６】
上記目的を達成するために、本発明に係るパネル取付構造は、パネル取付面に複数枚のパネルを連結して取り付けるパネル取付構造であって、前記パネルは、該パネルの一方端側に形成された差込部及び他方端側に形成された差込受部を有するとともに、前記他方端側で前記パネルの背面側から同一面上に突出して形成され、前記パネルの取付用固定具が挿通される固定片を有し、前記一方端側及び前記他方端側を結ぶ直線方向に隣接させて連結されるパネル同士は、前記取付用固定具で固定されたパネルの前記差込受部に、連結するパネルの差込部を差し込んで回転させることで連結され、前記取付用固定具の頭部は、連結されたパネルの前記一方端側で覆われることを特徴とする。
本発明において、前記固定片と前記取り付けるパネルの前記一方端側との少なくとも一方には、前記取付用固定具の頭部が収容される段部が形成されているようにしてもよい。
本発明において、前記他方端側は、前記差込部を前記差込受部に誘導する案内部を有し、該案内部は側面視において湾曲した凸湾曲面にしてもよい。
本発明において、前記他方端側は、前記差込部を前記差込受部に差し込んだ状態で係止する係止部を有し、該係止部は前記固定片に対して略垂直に起立した起立壁にしてもよい。
本発明において、前記他方端側には、出没自在に構成されたスライド部材が設けられる収容空所が形成されており、前記スライド部材によって、前記一方端側及び前記他方端側を結ぶ直線方向に対して略直交する方向に配設されるパネル同士を連結するようにしてもよい。
【発明の効果】
【０００７】
本発明に係るパネル取付構造によれば、パネル同士を容易に連結できる構成でありながら、取付用固定具を隠蔽することができる。
【図面の簡単な説明】
【０００８】
【図１】本発明の一実施形態（第１実施形態）に係るパネル取付構造に用いられるパネルを模式的に示した図であり、（ａ）は同パネルの概略全体斜視図、（ｂ）は（ａ）のＸ１部・拡大図、（ｃ）は（ａ）のＹ１部・拡大図である。
【図２】（ａ）〜（ｃ）は、同パネル取付構造の連結工程を模式的に示した概略側面図である。
【図３】（ａ）及び（ｂ）は、同パネル取付構造による取付状態を模式的に示した概略断面図である。
【図４】（ａ）〜（ｃ）は、同パネルに設けられるスライド部材を模式的に示した部分拡大斜視図である。
【図５】本発明の別実施形態（第２実施形態）に係るパネル取付構造に用いられるパネルを模式的に示した図であり、（ａ）は同パネルの概略全体斜視図、（ｂ）は（ａ）のＸ２部・拡大図、（ｃ）は（ａ）のＹ２部・拡大図である。
【図６】（ａ）〜（ｃ）は、同パネル取付構造の連結工程を模式的に示した概略側面図である。
【図７】（ａ）及び（ｂ）は、同パネル取付構造による取付状態を模式的に示した概略断面図である。
【発明を実施するための形態】
【０００９】
以下に本発明の実施の形態について、図面に基づいて説明する。
なお、一部の図では、他図に付している詳細な符号の一部を省略している。また、以下の実施形態では、天井面６に取り付けられたパネル１を基準として、一方端１０、他方端１１、直線方向（ｄ１）、直交方向（ｄ２）、各部材等を原則的に説明する。
【００１０】
図１〜図４を参照しながら、第１実施形態に係るパネル取付構造の一例について説明する。
本実施形態に係るパネル取付構造は、パネル取付面（以下、天井面６という）に複数枚のパネル１を連結して取り付けるパネル取付構造に関する。
パネル１は、パネル１の一方端１０側に形成された差込部２１及び他方端１１側に形成された差込受部３０を有するとともに、他方端１１側でパネル１の背面１５側から同一面上に突出して形成され、パネル１の取付用固定具４が挿通される固定片３４を有している。
一方端１０側及び他方端１１側を結ぶ直線方向（ｄ１・図１（ａ）参照）に隣接させて連結されるパネル１Ａ，１Ｂ同士は、取付用固定具４で固定されたパネル１Ａの差込受部３０に、連結するパネル１Ｂの差込部２１を差し込んで回転させることで連結される。取付用固定具４の頭部４０は、連結されたパネル１Ｂの一方端１０側で覆われる。
以下、詳しく説明する。
【００１１】
なお、以下ではパネル１Ａ〜１Ｃに共通する事項を説明する際には、「パネル１」として説明し、取付用固定具４で先に固定されるパネルは「１Ａ」として説明する。また、一方端１０側及び他方端１１側を結ぶ直線方向（ｄ１）に隣接させて取り付けられるパネルは「１Ｂ」、一方端１０側及び他方端１１側を結ぶ直線方向（ｄ１）に対して略直交する方向（ｄ２）に配設されるパネルは「１Ｃ」として説明する。
【００１２】
まずは、パネル１及びパネル１を連結して取り付けるための各部材の構成等について説明する。
パネル１は、平面視において略矩形状の平板体とされたリフォームに適したパネルであり、複数枚を隣接させて並べ、既存の天井面６を覆うように、また天井面６の略全域に亘って天井面６の下方に所定の距離を空けて配設されている。これら複数枚のパネル１（１Ａ〜１Ｃ）は、それぞれ略同形状・同幅寸法とされている。図中、１０は幅方向の一方端、１１は幅方向の他方端、１２はパネル１の長手方向の一方端、１３はパネル１の長手方向の他方端、１４は前面、１５は背面を示している。
【００１３】
図例のパネル１は、一例として断熱性を備えたパネルを示しており、表面板１ａと、樹脂発泡体１ｂとを備えているが、これに限定されない。例えば、木質系材料や石膏ボード等から形成されるものであってもよいし、断熱性の他、防音性、消臭性等を備えた機能性パネルであってもよい。表面板１ａの裏側には、不図示の真空断熱材を収容するようにしてもよく、この場合、真空断熱材の周囲には樹脂発泡体１ｂが充填され、真空断熱材は樹脂発泡体１ｂで覆われる。
樹脂発泡体１ｂの背面側、すなわちパネル１の背面１５側の一方端１０側は、他の部位より固定片３４の厚さ寸法分だけ薄く形成された薄厚部１５ａとされている。これにより、パネル１Ａ，１Ｂが連結されると、背面１５，１５側も略同一面とすることができる（図３（ａ）及び（ｂ）参照）。
【００１４】
表面板１ａの構成は特に限定されないが、樹脂発泡体１ｂの前面と側面とを覆うように形成され、例えば樹脂からなるものでもよいし、芯材として機能する金属板（不図示）が樹脂により被覆されて形成されたものとしてよい。この場合、樹脂としては、塩化ビニル樹脂などの合成樹脂が用いられる。合成樹脂は、熱可塑性樹脂であってもよいし、熱硬化性樹脂であってもよい。また、合成樹脂としては、塩化ビニル樹脂に限らず、他の合成樹脂が用いられるものとしてもよい。
また金属板としては、鋼板などが使用される他、亜鉛めっき鋼板や塗装鋼板、錫めっき鋼板などが使用されてもよい。
【００１５】
図例のパネル１の一方端１０側及び他方端１１側には、差込部２１及び差込受部３０がそれぞれに形成されており、ここではそれら差込部２１及び差込受部３０が連結部２，３に形成された例を示している。
一方端１０側の連結部２に形成されている差込部２１及び他方端１１側の連結部３に形成されている差込受部３０の構成は、特に図例に限定されるものではない。要は、パネル１Ａの差込受部３０に、パネル１Ｂの差込部２１を差し込んで回転させることでパネル１Ａ，１Ｂ同士が連結される構成であればよい。
【００１６】
一方端１０側に形成される連結部２は、図１（ｂ）に示すようにスライド部２０と、差込部２１と、段部２２と、空間部２３と、起立部２４と、前面部２５とを有している。
前面部２５は、パネル１の前面１４に沿って樹脂発泡体１ｂの幅方向の端部から略水平方向に突出して形成されている。
スライド部２０は、前面部２５から略垂直方向に形成され、その表面は凹湾曲面２０ａとされている。このスライド部２０の背面１５側の端部は、差込部２１が連なって形成され、後記する他方端１１側の差込受部３０に差し込み可能なように突出して且つ側面視において湾曲して形成されている。
そしてこのスライド部２０の凹湾曲面２０ａが、後記する凸湾曲面３１ａを有する案内部３１に当接した状態でスライドし、差込部２１が差込受部３０内に案内されてパネル１Ａ，１Ｂ同士が連結される。図１（ｃ）に示すように差込受部３０は凹状に形成されており、その底部に差込部２１の先が当接すると、パネル１Ａ，１Ｂ同士が連結され、前面１４及び背面１５が略同一面（面一）となる。
連結部２の背面１５側は段部２２になっており、この段部２２と後記する段部３２によって取付用固定具４の頭部４０を収容できる空間５（図２（ｃ）等参照）が形成される。
起立部２４は樹脂発泡体１ｂの端部を覆うように前面部２５に対して略垂直方向に形成されている。
連結部２は、パネル１の長手方向に沿って中空とされた空間部２３を有しており、パネル１の軽量化に寄与している。
【００１７】
他方端１１側の連結部３は、図１（ｃ）に示すように差込受部３０と、案内部３１と、段部３２と、収容空所３３と、固定片３４と、起立部３５とを有している。
案内部３１は、差込部２１を差込受部３０に誘導するようにパネル１の前面１４から端部に向けて湾曲して形成され、その表面は凸湾曲面３１ａとされている。そしてこの案内部３１の背面１５側に差込部２１が差し込まれるように側面視において湾曲して形成された差込受部３０が設けられている。
固定片３４は、パネル１の背面１５側から同一面上に突出して形成されている。固定片３４には、図示していないが取付用固定具４が挿通される位置に間隔をあけて固定具挿通孔が形成されている。
差込受部３０と固定片３４との間には、段部３２が形成されており、この段部３２と上述の段部２２によって取付用固定具４の頭部４０を収容できる空間５（図２（ｃ）及び図３（ｂ）参照）が形成される。ここで形成される段差は、頭部４０が収まるように形成されていればよい。
なお、本実施形態では、段部２２，３２が一方端１０側、他方端１１側の両方に形成されている例を示したが、頭部４０が収容できる空間５が形成されれば、後記する実施形態のようにいずれか一方端側にのみ形成されるものとしてもよい。
起立部３５は、樹脂発泡体１ｂの端部を覆うように前面１４に対して略垂直方向に形成されている。
連結部３は、パネル１の長手方向に沿って中空とされた収容空所３３を有しており、パネル１の軽量化に寄与するとともに、この収容空所３３には、出没自在に構成されたスライド部材７が設けるようにしてもよい。
【００１８】
図４を参照しながら、収容空所３３に設けられたスライド部材７が設けられた例について説明する。
連結部３の収容空所３３の端部には、スライド部材７が組み込まれており、スライド部材７は、半円筒棒状のスライドピン７０と、スライドピン７０の側面から突出して形成されスライドピン７０を出没自在に可動させる操作突起部７１とを有している。上述の凸湾曲面３１ａとされた案内部３１には、細長円状のスライド孔３１ｂが形成され、このスライド孔３１ｂには、操作突起部７１が係止されるように挿通されている。操作突起部７１をスライド孔３１ｂに沿ってスライド操作することにより、スライドピン７０を収容空所３３の端部から出没させることができる。
【００１９】
図４（ａ）及び図４（ｂ）に示すように、操作突起部７１の突出高さは、スライド孔３１ｂよりも外側に突出しない高さに設定されており、案内部３１の凸湾曲面３１ａに凹凸が形成されないように構成されている。
これにより、パネル１Ａ，１Ｂ同士の連結時において、スライド部２０を案内部３１に当接させてパネル１Ｂの一方端１０側を中心として回転させる際に、操作突起部７１が引っ掛かるようなことがなく、スムーズにスライドさせることができる。
【００２０】
図４（ａ）は、操作突起部７１をスライド孔３１ｂの内方端側に寄せ、スライドピン７０が収容空所３３内に没した状態を示している。また図４（ｂ）は、操作突起部７１をスライド孔３１ｂの外方端側に寄せ、スライドピン７０が収容空所３３から突出させた状態を示している。そして、図４（ｃ）は、スライドピン７０を突出させて、一方端１０側及び他方端１１側を結ぶ直線方向（ｄ１）に対して略直交する方向（ｄ２）に配設されるパネル１Ａ，１Ｃ同士をスライド部材７によって連結した状態を示している。
以上によれば、収容空所３３を利用してスライド部材７を設けることができ、直線方向（ｄ１）に対して略直交する方向（ｄ２）に配設されるパネル１Ａ，１Ｃ同士を容易に連結することができる。しかもこのスライド部材７は収容空所３３に設けられているので、図４（ｃ）に示すようにパネル１Ａ，１Ｃ同士が連結された状態では見えず、見栄えがよい。
【００２１】
次に図２、図３を参照しながらパネル１Ａ，１Ｂの取付要領の一例について説明する。
ここで、図３に示す天井構造は、既存の天井面６に取付用固定具４を介してパネル１Ａ，１Ｂ・・・を固定するようにした例を示している。天井面６には、取付用固定具４が挿通される挿通穴（不図示）が形成されており、取付用固定具４の一端側が挿通穴にねじ固定される。そして既存の天井面６を覆うように室内側からパネル１Ａ，１Ｂを連結させ、天井面６に取り付ける構造とされている。ここで用いられる取付用固定具４は、長尺な棒状体とされた吊ボルト等を用いることができ、図中４０は頭部、４１はボルト軸を示している。
【００２２】
まずはパネル１Ａの固定片３４に取付用固定具４を挿通させ、天井面６に設けられた挿通穴に取付用固定具４をねじ込んでいき、パネル１Ａを取り付け固定する（図２（ａ）参照）。
そして連結させるパネル１Ｂの差込部２１が固定されたパネル１Ａの差込受部３０に向かうように、パネル１Ｂの差込部２１側が上方になるよう斜めに持つ（図２（ａ）参照）。パネル１Ｂのスライド部２０をパネル１Ａの案内部３１に当接させて、パネル１Ｂの一方端１０側を中心として回転させる（図２（ｂ）のｄ３矢印方向参照）。このとき、パネル１Ｂのスライド部２０をパネル１Ａの案内部３１に当接させた状態で、パネル１Ｂの一方端１０側を天井面６側へと押し上げていけば、差込部２１が差込受部３０へとスムーズに誘導される。パネル１Ｂを回転させていき、差込受部３０の底部に差込部２１の先が当接すると、差込部２１と差込受部３０とが互いに嵌合状態となり、前面１４及び背面１５が略同一面（面一）となり（図２（ｃ）及び図３（ｂ）等参照）、パネル１Ａ，１Ｂ同士が連結される。
【００２３】
以上によれば、複数枚のパネル１Ａ，１Ｂ・・・を、大掛かりな工事を必要とすることなく、パネル１Ａ，１Ｂ同士を容易に連結させ取り付けることができる。またパネル１Ｂをパネル１Ａに差し込む際には、斜めにした状態で差し込みができるので、パネル同士を実結合させる場合と比べてパネル１Ｂの幅方向におけるサイズ以上の施工スペースを確保する必要がない。さらにパネル１Ａ，１Ｂ・・・同士を歪むことなく連結させていくことができ、パネルが単独で落下することを防ぐことができる。
また取付用固定具４の頭部４０が、連結されたパネル１Ｂの一方端１０側で覆われるので、室内側から取付用固定具４が隠蔽され、さらにパネル１Ａ，１Ｂ同士の連結部分は、スライド部２０と案内部３１が突き合わされ隙間がなく、室内側からの見栄えがよい。
このとき、さきに固定されたパネル１Ａの他方端１１側（固定片３４を有している側）と連結するパネル１Ｂの一方端１０側は、取付用固定具４の頭部４０が収容される段部２２，３２を有している。そしてパネル１Ａ，１Ｂ同士が連結されることによって空間５（図２（ｃ）及び図３（ｂ）参照）が形成されるので、取付用固定具４の頭部４０が邪魔になることなく収容することができる。また例えば取付用固定具４が緩むようなことがあっても、取付用固定具４が落下することを防ぐことができる。
なお、パネル１の取付順序は、特に限定されるものではないが、パネル１Ａとパネル１Ｃの連結は、パネル１Ａを取付用固定具４で固定した後で、パネル１Ｂの連結前に行うことができる。
【００２４】
続いて図５〜図７を参照しながら、第２実施形態に係るパネル取付構造の一例について説明する。
なお、上述の第１実施形態との相違点について主に説明し、同様の構成については、同一符号を付し、その説明を省略または簡略に説明する。また以下ではパネル１Ｄ、１Ｅに共通する事項を説明する際には、「パネル１」として説明し、取付用固定具４で先に固定されるパネルは「１Ｄ」として説明する。また、一方端１０側及び他方端１１側を結ぶ直線方向（ｄ１）に隣接させて取り付けられるパネルは「１Ｅ」として説明する。
本実施形態に係るパネル取付構造は、パネル１の連結部２，３の構造が異なり、他方端１１側は、差込部２１を差込受部３０に差し込んだ状態で係止する係止部３７をさらに有し、係止部３７は固定片３４に対して略垂直に起立した起立壁とされている点が異なる。
【００２５】
一方端１０側の連結部２は、図５（ｂ）に示すように差込部２１と、段部２２と、空間部２３と、起立部２４と、前面部２５、係合凹部２６、外方起立部２７とを有している。
前面部２５は、パネル１の前面１４に沿って樹脂発泡体１ｂの端部から略水平方向に突出して形成されている。差込部２１は、前面部２５から背面１５側へ斜め外方に屈曲した形状に形成され、その先端は後記する係止段部３８ａに係止され外方に鉤状に屈曲した鉤片部２１ａが形成されている。外方起立部２７は、前面部２５から略垂直方向に形成されており、この外方起立部と差込部２１との間が係合凹部２６とされる。係合凹部２６の底部と係止部３７との当接部分がパネル１Ｅを回転させる際の中心となる。
連結部２の背面１５側は段部２２になっており、この段部２２と他の部位より薄く形成された固定片３４とによって取付用固定具４の頭部４０を収容できる空間５（図６（ｃ）等参照）が形成される。
なお、本実施形態では、一方端１０側にのみ段部２２が形成されている例を示したが、頭部４０が収容できる空間５が形成されれば、上記の第１実施形態のように一方端１０側、他方端１１側の両方に段部が形成されるものとしてもよい。
起立部２４は樹脂発泡体１ｂの端部を覆うように前面部２５に対して略垂直方向に形成されている。
連結部２は、パネル１の長手方向に沿って中空とされた空間部２３を有しており、パネル１の軽量化に寄与している。
【００２６】
他方端１１側の連結部３は、図５（ｃ）に示すように差込受部３０と、収容空所３３と、固定片３４と、起立部３５と、背面水平部３６と、係止部３７と、面取部３８と、前面部３９を有している。
前面部３９は、パネル１の前面１４に沿って樹脂発泡体１ｂの端部から略水平方向に突出して形成されている。
面取部３８は、その前面部３９から背面１５側へ側面視において斜めに傾斜して形成されている。このように角部が面取り形状となっているので、パネル１Ｂを連結する際に、差込部２１を差込受部３０にスムーズに係止させることができる。面取部３８の固定片３４側には、鉤片部２１ａを係止する係止段部３８ａが形成されている。
背面水平部３６は、パネル１の背面１５に沿って樹脂発泡体１ｂの端部から略水平方向に突出して形成されている。そしてこの背面水平部３６の同一面上にさらに突出して形成されているのが固定片３４である。本実施形態の固定片３４は、背面水平部３６の厚み寸法よりも薄く形成されており、これにより、他方端１１側に段部が形成されていなくても、一方端１０側の段部２２との間に取付用固定具４の頭部４０が収容できる空間５を形成することができる。
係止部３７は、背面水平部３６と固定片３４との間から略垂直方向に起立して形成された起立壁とされており、この係止部３７と面取部３８との間に側面視において凹状の差込受部３０が形成されている。
起立部３５は、樹脂発泡体１ｂの端部を覆うように前面１４に対して略垂直方向に形成されている。
連結部３は、パネル１の長手方向に沿って中空とされた収容空所３３を有しており、パネル１の軽量化に寄与する。なお、本実施形態では図示していないが、この収容空所３３に、第１実施形態において説明した出没自在に構成されたスライド部材７を設けるようにしてもよい。
【００２７】
次に図６、図７を参照しながらパネル１Ｄ，１Ｅの取付要領の一例について説明する。
図７に示す天井構造は、第１実施形態と同様の例を示している。
まずはパネル１Ｄの固定片３４に取付用固定具４を挿通させ、天井面６に設けられた挿通穴に取付用固定具４をねじ込んでいき、パネル１Ｄを取り付け固定する（図６（ａ）参照）。
そして連結させるパネル１Ｅの差込部２１が固定されたパネル１Ｄの差込受部３０に向かうように、パネル１Ｅの差込部２１側が上方になるよう斜めに持つ（図６（ａ）参照）。パネル１Ｅの差込部２１をパネル１Ｄの差込受部３０に挿入し、パネル１Ｅの係合凹部２６とパネル１Ｄの係止部３７を係合させ、係合凹部２６の底部と係止部３７との当接部分を中心として回転させる（図６（ｂ）のｄ３矢印方向参照）。このとき、係合凹部２６の表面が係止部３７の端部に当接しながら回転していき、鉤片部２１ａが係止段部３８ａに当接して引っ掛けられた状態になると。差込部２１と差込受部３０とが互いに係合状態となり、前面１４及び背面１５が略同一面（面一）となり（図６（ｃ）及び図７（ｂ）等参照）、パネル１Ｄ，１Ｅ同士が連結される。
【００２８】
以上によっても、第１実施形態と同様に、複数枚のパネル１Ｄ，１Ｅ・・・を、大掛かりな工事を必要とすることなく、パネル１Ｄ，１Ｅ同士を容易に連結させ取り付けることができる。また本実施形態においても、パネル１Ｅをパネル１Ｄに差し込む際には、斜めにした状態で差し込みができるので、パネル同士を実結合させる場合と比べてパネル１Ｅの幅方向におけるサイズ以上の施工スペースを確保する必要がない。さらにパネル１Ｄ，１Ｅ・・・同士を歪むことなく連結させていくことができ、パネルが単独で落下することを防ぐことができる。
また本実施形態においても、取付用固定具４の頭部４０が、連結されたパネル１Ｅの一方端１０側で覆われるので、室内側から取付用固定具４が隠蔽され、さらにパネル１Ｄ，１Ｅ同士の連結部分は、係止段部３８ａに鉤片部２１ａが係止され、継ぎ目に隙間がないので、室内側からの見栄えがよい。
このとき、さきに固定されたパネル１Ｄの他方端１１側の固定片３４が薄厚とされ、連結するパネル１Ｅの一方端１０側に段部２２が形成されているので、パネル１Ｄ，１Ｅ同士が連結されることによって空間５（図６（ｃ）及び図７（ｂ）参照）が形成される。よって、取付用固定具４の頭部４０が邪魔になることなく収容することができる。また例えば取付用固定具４が緩むようなことがあっても、取付用固定具４が落下することを防ぐことができる。
【００２９】
以上、各実施形態で説明したパネル１（１Ａ〜１Ｅ）、連結部２，３を構成する差込部２１、差込受部３０、固定片３４、案内部３１、係止部３７、スライド部材７等の形状や構成、その他、各構成部材の形状や構成などは上述の例に限定されない。またここでは、パネル取付面として天井面６とした例を説明したが、これに限定されず、壁面や床面に連結させて取り付けるパネル取付構造としても適用可能である。
【符号の説明】
【００３０】
１（１Ａ〜１Ｅ）  パネル
１５              背面
１０              一方端側
１１              他方端側
２１              差込部
２２              段部
３０              差込受部
３１              案内部
３１ａ            凸湾曲面
３２              段部
３３              収容空所
３７              係止部
４                取付用固定具
４０              頭部
７                スライド部材
ｄ１              直線方向
ｄ２              直交方向
【図１】
2014095225.tif 000003
【図２】
2014095225.tif 000004
【図３】
2014095225.tif 000005
【図４】
2014095225.tif 000006
【図５】
2014095225.tif 000007
【図６】
2014095225.tif 000008
【図７】
2014095225.tif 000009